(57)【要約】【課題】  予約録画の失敗を抑制することのできる情報処理装置を提供する。【解決手段】  録画予約情報を記憶する録画予約情報記憶手段と、前記録画予約情報に基づいて予約録画を行う録画手段と、前記録画予約情報記憶手段が記憶する前記録画予約設定情報で設定される録画開始時刻前に起動時刻を設定する起動時刻設定手段と、前記起動時刻設定手段が設定した起動時刻に起動させる起動手段と、前記起動手段が起動させた後、前記録画手段が録画可能状態となるまでの準備に要した時間である録画準備時間を記憶する録画準備時間記憶手段とを備え、前記起動時刻設定手段は、前記録画準備時間記憶手段が記憶する前記録画準備時間に基づいて前記起動時刻を設定する。【選択図】      図２
2009004958.tif 000002
【特許請求の範囲】
【請求項１】
録画予約情報を記憶する録画予約情報記憶手段と、
前記録画予約情報に基づいて予約録画を行う録画手段と、
前記録画予約情報記憶手段が記憶する前記録画予約設定情報で設定される録画開始時刻前に起動時刻を設定する起動時刻設定手段と、
前記起動時刻設定手段が設定した起動時刻に起動させる起動手段と、
前記起動手段が起動させた後、前記録画手段が録画可能状態となるまでの準備に要した時間である録画準備時間を記憶する録画準備時間記憶手段と
を備え、
前記起動時刻設定手段は、前記録画準備時間記憶手段が記憶する前記録画準備時間に基づいて前記起動時刻を設定すること
を特徴とする情報処理装置。
【請求項２】
前記起動時刻設定手段は、前記録画予約情報で設定される前記録画開始時刻の、前記録画準備時間記憶手段が記憶する複数の前記録画準備時間のうち最も長い前記録画準備時間以上前に、前記起動時刻を設定すること
を特徴とする請求項１記載の情報処理装置。
【請求項３】
前記起動時刻設定手段は、環境変化があった場合に、前記起動時刻を所定時間早めること
を特徴とする請求項１記載の情報処理装置。
【請求項４】
前記録画準備時間記憶手段が記憶する複数の前記録画準備時間から、録画準備に要する時間を予測する予測手段
を更に備え、
前記起動時刻設定手段は、前記録画予約情報で設定される前記録画開始時刻から、前記予測手段が予測した録画準備に要する時間以上までに前記起動時刻を設定すること
を特徴とする請求項１記載の情報処理装置。
【請求項５】
前記録画準備時間は、オペレーティングシステム起動開始後、前記録画手段による録画可能状態となるまでの準備に要した時間であること
を特徴とする請求項１記載の情報処理装置。
【発明の詳細な説明】
【技術分野】
【０００１】
本発明は、予約録画機能を有する情報処理装置に関する。
【背景技術】
【０００２】
近年、ＤＶＤ（Ｄｉｇｉｔａｌ  Ｖｅｒｓａｔｉｌｅ  Ｄｉｓｋ）プレーヤ、ＴＶ装置のようなオーディオ・ビデオ（ＡＶ）機器と同様のＡＶ機能を備えたパーソナルコンピュータ（以下、ＰＣとも称する）が普及しつつある。
【０００３】
このようなＰＣの中には、放送番組データの試聴及び録画を実行する機能に加え、予約録画機能を有しているものもある。予約録画機能は、ユーザによって予め設定された録画予約によって指定される放送番組データを自動的に録画する機能である。この予約録画機能を利用することにより、ユーザは、ＰＣから離れた場所にいても、目的の放送番組データの録画をＰＣに実行させることができる。
【０００４】
ここで、予約録画を行う際には、録画開始時刻よりも前にＰＣを起動させておく必要がある（例えば、特許文献１参照）。特許文献１には、ＡＶネットワークに接続して動作させるコントローラと録画再生機器を含むＡＶネットワーク対応録画再生システムであって、コントローラからの所定の機器パラメータ問い合わせコマンドに対し、電源入りコマンドを受けてから、録画媒体部に録画動作を開始できるようになるまでの最短起動時間を回答し、録画再生機器の録画媒体に記録するときには、コントローラは、開始時刻よりも少なくとも最短起動時間以上前に、録画再生装置に対して電源入りコマンドを発行する録画再生システムが記載されている。
【特許文献１】特開２００３−１７９８３８号公報
【発明の開示】
【発明が解決しようとする課題】
【０００５】
しかしながら、特許文献１記載のシステムでは、録画再生装置とコントローラとは別の装置であり、コントローラは最短起動時間は録画再生装置から取得する。このとき、録画再生装置がどのようにして最短起動時間を決めるのか等については全く開示されていない。
【０００６】
特にＰＣで予約録画機能を実装する場合には、ソフトウェアのインストール状況等に応じて、ＰＣ起動後、録画準備が整うまでに要する時間が少しずつ長くなっていくことが多い。よって、録画開始時刻の一定時間前にＰＣを起動するようにしていると、録画開始時刻前までにＰＣの録画準備が整わないといった事態も生じかねない。
【０００７】
そこで本発明は、予約録画の失敗を抑制することのできる情報処理装置を提供することを目的とする。
【課題を解決するための手段】
【０００８】
上記目的を達成するために、本発明の情報処理装置は、録画予約情報を記憶する録画予約情報記憶手段と、前記録画予約情報に基づいて予約録画を行う録画手段と、前記録画予約情報記憶手段が記憶する前記録画予約設定情報で設定される録画開始時刻前に起動時刻を設定する起動時刻設定手段と、前記起動時刻設定手段が設定した起動時刻に起動させる起動手段と、前記起動手段が起動させた後、前記録画手段が録画可能状態となるまでの準備に要した時間である録画準備時間を記憶する録画準備時間記憶手段とを備え、前記起動時刻設定手段は、前記録画準備時間記憶手段が記憶する前記録画準備時間に基づいて前記起動時刻を設定することを特徴とする。
【発明の効果】
【０００９】
本発明によれば、予約録画の失敗を抑制することのできる情報処理装置を提供することができる。
【発明を実施するための最良の形態】
【００１０】
以下、本発明の情報処理装置について、図面を参照しながら説明する。
【実施例１】
【００１１】
まず、図１を参照して、本発明の一実施形態に係る情報処理装置の構成を説明する。この情報処理装置は、例えば、ノートブック型の携帯型パーソナルコンピュータ（以下、ＰＣとも称す）１０から実現されている。図２は、ＰＣ１０の構成を示す図である。
【００１２】
ＰＣ１０は、図１に示すように、ＣＰＵ１１１、ノースブリッジ１１３、メインメモリ１１５、グラフィックスコントローラ１１７、サウスブリッジ１２１、ＢＩＯＳ−ＲＯＭ１２３、ハードディスクドライブ（Ｈａｒｄ  Ｄｉｓｋ  Ｄｒｉｖｅ、以下ＨＤＤとも称す）１２５、光ディスクドライブ（Ｏｐｔｉｃａｌ  Ｄｉｓｋ  Ｄｒｉｖｅ、以下ＯＤＤとも称す）１２７、ＴＶチューナデバイス１２９、ネットワークコントローラ１３１、エンベデッドコントローラ／キーボードコントローラＩＣ（以下、ＥＣ／ＫＢＣとも称す）１３３等を備えている。
【００１３】
ＣＰＵ１１１は、本コンピュータ１０の動作を制御するために設けられたプロセッサであり、ＨＤＤ１２５からメインメモリ１１５にロードされる、オペレーティングシステム（以下、単にＯＳとも称す）１０１、及びＴＶアプリケーションプログラム１０２のような各種アプリケーションプログラムを実行する。ＴＶアプリケーションプログラム１０２は放送番組データの再生及び録画を制御するプログラムであり、ＴＶチューナデバイス１２９を制御して、放送信号によって放送される放送番組データ（ＴＶ放送番組）の再生及び録画（予約録画を含む）を実行する。ＴＶアプリケーションプログラム１０２は、ＯＳ１０１上で動作するように構成されている。
【００１４】
また、ＣＰＵ１１１は、スケジューリングサービスプログラム１０３も実行する。スケジューリングサービスプログラム１０３はＯＳ１０１によって実行されるサービスプログラムの一つであり、オペレーティングシステム１０１の起動時にＯＳ１０１が実行する。このスケジューリングプログラム１０３は、録画開始時刻の所定時間前に、所定のユーザアカウントでログオンさせると共に、ログオン後、ＴＶアプリケーションプログラム１０２を含む各種アプリケーションプログラムを実行させる。
【００１５】
さらに、ＣＰＵ１１１は、ＢＩＯＳ−ＲＯＭ１２３に格納されたＢＩＯＳ（Ｂａｓｉｃ  Ｉｎｐｕｔ  Ｏｕｔｐｕｔ  Ｓｙｓｔｅｍ）も実行する。ＢＩＯＳはハードウェア制御のためのプログラムである。
【００１６】
ノースブリッジ１１３はＣＰＵ１１１のローカルバスとサウスブリッジ１２１との間を接続するブリッジデバイスである。ノースブリッジ１１３には、メインメモリ１１５をアクセス制御するメモリコントローラも内蔵されている。また、ノースブリッジ１１３は、ＡＧＰ（Ａｃｃｅｌｅｒａｔｅｄ  Ｇｒａｐｈｉｃｓ  Ｐｏｒｔ）バスなどを介してグラフィックスコントローラ１１７との通信を実行する機能も有している。
【００１７】
グラフィックスコントローラ１１７は本ＰＣ１０のディスプレイモニタとして使用されるＬＣＤ１１９を制御する表示コントローラである。このグラフィックスコントローラ１１７はＯＳまたはＴＶアプリケーションプログラム１０２によってビデオメモリ（以下、ＶＲＡＭとも称す）１１７Ａに書き込まれた画像データをＬＣＤ１１９に表示する。
【００１８】
サウスブリッジ１２１は、ＬＰＣ（Ｌｏｗ  Ｐｉｎ  Ｃｏｕｎｔ）バス上の各デバイス、及びＰＣＩ（Ｐｅｒｉｐｈｅｒａｌ  Ｃｏｍｐｏｎｅｎｔ  Ｉｎｔｅｒｃｏｎｎｅｃｔ）バス上の各デバイスを制御する。また、サウスブリッジ１２１は、ＨＤＤ１２５、ＯＤＤ１２７を制御するためのＩＤＥ（Ｉｎｔｅｇｒａｔｅｄ  Ｄｒｉｖｅ  Ｅｌｅｃｔｒｏｎｉｃｓ）コントローラを内蔵している。
【００１９】
さらに、サウスブリッジ１２１は、リアルタイムクロック（以下、ＲＴＣとも称する）１２１Ａを備えている。ＲＴＣ１２１Ａは、現在時刻（年、月、日、時、分、秒）を計時する時計モジュールとして機能する。ＲＴＣ１２１Ａ内のレジスタ（ＲＴＣレジスタ）には、本ＰＣ１０を電源オンすべき時間（年、月、日、時、分、秒）を指定するアラーム時間をセットすることができる。ＲＴＣ１２１Ａは、現在の時刻が、ＯＳ１０１又はＴＶアプリケーションプログラム１０２によってＲＴＣレジスタにセットされたアラーム時間に達したとき、本ＰＣ１０を電源オンすべきことを示すパワーオンイベントの発生をＥＣ／ＫＢＣ１３３に通知する。このパワーオンイベントの発生に応答して、ＥＣ／ＫＢＣ１３３は、本コンピュータ１０を電源オン（起動）する。
【００２０】
ＴＶチューナデバイス１２９は、放送信号によって放送される放送番組データを受信する受信デバイスである。
ＥＣ／ＫＢＣ１３３は、電力管理のためのエンベデッドコントローラと、キーボード（ＫＢ）１３５及びタッチパッド１３７を制御するためのキーボードコントローラとが集積された、１チップマイクロコンピュータである。ＥＣ／ＫＢＣ１３３は、ユーザによる電源ボタン１３９の操作に応じてＰＣ１０を電源オン／電源オフする機能を有している。本ＰＣ１０の各コンポーネントに供給される動作電源は、本ＰＣに内蔵されたバッテリ（図中ＢＡＴＴ）１４１、又はＡＣアダプタ１４３を介して外部から供給される外部電源から生成される。
【００２１】
ＴＶアプリケーションプログラム１０２の制御は、ユーザによる、キーボード１３、タッチパッド１３７、図示しないマウスのような入力装置の操作のみならず、図示しない外部のリモコンユニットの操作によっても実行することができる。
【００２２】
ネットワークコントローラ１３１は有線又は無線のネットワークに接続するための通信デバイスであり、インターネット等の外部ネットワークとの通信を実行するために使用される。
【００２３】
次に、図２を参照して、ＴＶアプリケーションプログラム１０２、スケジューリングサービスプログラム１０３等の其々の機能構成を説明する。
スケジューリングサービスプログラム１０３は、上述したように、ＯＳ１０１の起動時にＯＳ１０１によって自動的に起動されるサービスプログラム（デーモンプログラムとも呼ぶ）である。このスケジューリングサービスプログラム１０３は、その機能実現モジュールとして、ＴＶアプリケーション起動要求部１０３Ａを備えている。
【００２４】
録画開始時刻、録画終了時刻、チャネル等の情報から構成される録画予約情報は、ＨＤＤ１２５内に構成される録画予約情報ＤＢ１２５と称される録画予約情報記憶部に格納されている。録画予約情報ＤＢ（データベース）１２５への録画予約情報の格納は、ユーザによって録画予約操作が実行されたときに、ＴＶアプリケーションプログラム１０２によって実行される。即ち、ＴＶアプリケーションプログラム１０２は、ユーザによって録画予約すべきことが指定された放送番組を指定する情報（放送信号種別（地上アナログ／地上デジタル／ＢＳデジタル／ＣＳデジタルなど））、チャネル番号、録画開始時刻、録画終了時刻、番組名、等）を録画予約情報として録画予約情報ＤＢ１２５Ａに格納する。
【００２５】
ＴＶアプリケーション起動要求部１０３Ａは、ＴＶアプリケーションプログラム１０２を起動するための起動要求をＯＳ１０１に送出する。即ち、ＴＶアプリケーション起動要求部１０３Ａは、録画予約情報によって指定される録画予約された放送番組データの録画開始時刻の所定時間前（例えば５分前）に、ＴＶアプリケーションプログラム１０２を起動するための起動要求をＯＳ１０１に送出する。尚、ＴＶアプリケーションプログラム１０２が既に起動されている場合には、ＴＶアプリケーション起動要求部１０３Ａは、起動要求をＯＳ１０１に送出しない。
【００２６】
ＴＶアプリケーションプログラム１０２は、上述した通り放送番組データの再生及び録画を制御するプログラムであり、ＴＶチューナデバイス１２９を制御して、放送信号によって放送される放送番組データ（ＴＶ放送番組）の再生及び録画（予約録画を含む）を実行する。
【００２７】
ＴＶアプリケーションプログラム１０２は、その機能実現モジュールとして、録画部１０２Ａ、準備時間登録部１０２Ｂ、準備時間予測部１０２Ｃ、起動時刻設定部１０２Ｄを備えている。録画部１０２Ａは、録画予約情報ＤＢ１２５Ａに登録された録画予約情報に従って、予約録画を実行する。
【００２８】
準備時間登録部１０２Ｂは、ＨＤＤ１２５内に構成される録画準備時間ＤＢ１２５Ｂと称される録画準備時間記憶部に録画準備時間を格納する機能を持つ。尚、このとき取得する録画準備時間は、録画部１０２Ａが録画を実行することが可能となるまでの経過時間である。本実施例では、ＯＳ１０１起動後、ＴＶアプリケーションプログラム１０２の録画部１０２Ａが録画開始可能となる時刻までに要する時間であるものとする。本実施例のＯＳ１０１では、ＯＳ１０１起動後の経過時間を計測しているので、準備時間登録部１０２Ｂは、録画部１０２Ａが録画開始可能となった直後にＯＳ１０１から起動後の経過時間を取得することにより、録画準備時間を取得し、該録画準備時間を録画準備時間ＤＢ１２５Ｂに登録することができる。
【００２９】
準備時間予測部１０２Ｃは、次回の予約録画時に録画準備に要する時間を予測する機能を持つ。例えば、録画準備時間ＤＢ１２５Ｂに登録された複数の録画準備時間のうち、最も長く要した録画準備時間を、次回の録画準備に要する時間の予測値とすることも考えられるし、或いは、過去の複数の録画準備時間の履歴から予測するようにしても良い。
【００３０】
図３は、次回の録画準備に要する時間を予測する方法の一例を示す図である。図３の例では、横軸に予約録画回数、縦軸に録画準備時間をとったグラフを示している。図３の例では、ばらつきはあるものの、緩やかに録画準備時間が徐々に長くなっていることがわかる。例えば最小二乗法等により回帰分析を行って回帰直線を求めることによりこの傾向を算出すれば、次回の録画準備に要する時間を予測することができる。
【００３１】
また、例えばアプリケーションプログラムが新しいインストールされた場合等の環境変化があった後は、オペレーティングシステム１０１起動直後の処理がその分だけ多くなり、録画部１０２Ａによる準備に要する時間が大きくなる可能性が高い。そこで、準備時間予測部１０２Ｃは、環境変化があった場合には、次回の録画準備に要する時間の予測値を、所定時間（例えば１分等）大きくするようにしても良い。
【００３２】
起動時刻設定部１０２Ｄは、準備時間予測部１０２Ｃが算出した準備時間に基づき、ＰＣ１０の起動時刻をＲＴＣ１２１Ａに設定する機能を持つ。このとき起動時刻設定部１０２Ｄが設定する起動時刻は、録画予約情報ＤＢ１２５Ａとして登録されている予約録画情報のうち、録画開始時刻が最も早いものの該録画開始時刻から、準備時間予測部１０２Ｃが予測した準備時間以上前となる。特に、本実施例では、録画準備時間ＤＢ１２５に格納されている録画準備時間は、ＯＳ１０１起動後の経過時間なので、ＰＣ１０への電源投入後ＯＳ１０１起動までの時間は該録画準備時間では考慮されていない。よって、録画開始時刻よりも、準備時間予測部１０２Ｃが予測した時間と、該ＯＳ起動までに要する時間とを加算した値より前の時刻がＲＴＣ１２１Ａに起動時刻として設定するのが好適である。
【００３３】
次に、図４のフローチャートを参照して、ＴＶアプリケーション１０２の録画予約設定後、電源オフまでの処理の概要を説明する。尚、このフローチャート開始時点において、ＴＶアプリケーション１０２は既に起動しているものとする。
【００３４】
まず、ＴＶアプリケーションプログラム１０２は、ＫＢ１３５やタッチパッド１３７、図示しないマウスなどを使用してユーザが入力する、例えば録画開始時刻、録画終了時刻、録画するチャネル等の録画予約の入力を受ける（Ｓ４０１）。更にＴＶアプリケーションプログラム１０２は、ＨＤＤ１２５内の録画予約情報ＤＢ１２５Ａに該録画予約情報を格納する。
【００３５】
そして、ＴＶアプリケーションプログラム１０２は、録画予約情報ＤＢ１２５Ａに登録されている録画予約情報のうち、最も録画開始時刻が早いものの録画開始時刻よりも、準備時間予測部１０２Ｃが予測した準備時間以上前の起動時刻を算出する（Ｓ４０２）。このとき、準備時間予測部１０２Ｃは、先述の通り録画準備時間ＤＢ１２５Ｂに登録された過去の録画準備時間ＤＢ１２５Ｂの履歴から、次回の録画準備に要する時間を予測する。この予測方法は、先述の通り複数の録画準備時間から予測しても良いし、過去の録画準備時間の中で最も長い録画準備時間としても良い。
【００３６】
更に、準備時間予測部１０２Ｃは、該起動中に、新たなアプリケーションのインストール等の環境変化が生じたか否かを判断する（Ｓ４０３）。もし、環境変化があった場合には（Ｓ４０３のＹｅｓ）、所定時間録画準備に要する時間の予測値を大きくし、起動時刻をその分（マージン時間）だけ早める（Ｓ４０４）。
【００３７】
ＴＶアプリケーションプログラム１０２の起動時刻設定部１０２Ｄは、準備時間予測部１０２Ｃが算出した起動時刻を、ＲＴＣ１２１Ａに設定する（Ｓ４０５）。これにより、電源オフ後も、録画開始時刻の所定時間前にＰＣ１０を起動させることができるようになる。軌道時刻設定部１０２Ｄによる起動時刻の設定後、ＯＳ１０１は電源オフを行う（Ｓ４０６）。
【００３８】
続いて、図５を参照しながら本ＰＣ１０が電源オフの状態からＴＶアプリケーション１０２を起動して予約録画を実行するまでの一連の処理について説明する。
本ＰＣ１０が電源オフされている状態で、ＲＴＣ１２１Ａに設定された起動時刻（録画開始時刻の所定時間前）になると、ＲＴＣ１２１Ａからのパワーオンイベントに応答してＥＣ／ＫＢＣ１３３が本ＰＣ１０を起動させる。そしてＢＩＯＳの制御の下に、本ＰＣ１０の各デバイスを初期化する処理等を含む自動電源オン処理（Ｓ５０１）が実行される。そして、本ＰＣ１０が電源オンされたことに応答して、ＢＩＯＳは、ＯＳ１０１を起動（ブート）するためのＯＳ起動処理を開始する（Ｓ５０２）。起動すると、ＯＳ１０１は起動後経過時間の計測を開始する。
【００３９】
ＯＳ１０１が起動されると、ＯＳ１０１はスケジューリングサービス１０３を実行する。スケジューリングサービスプログラム１０３は、ＲＴＣ１２１Ａを用いて時間監視処理を開始する。
【００４０】
更に、スケジューリングサービスプログラム１０３からＯＳ１０１に対してＴＶアプリケーションプログラム１０２の起動要求が送出され、これによってＴＶアプリケーションプログラム１０２を起動する処理がＯＳ１０１によって実行される（Ｓ５０３）。更に、ＴＶアプリケーションプログラム１０２の録画部１０２Ａは、ＴＶチューナデバイス１２９の受信チャネルを録画チャネルへ切り換えたり、録画崎メディア（ＨＤＤ１２５やＯＤＤ１２７等）の準備等の処理を開始する。
【００４１】
録画部１０２Ａによる録画準備が完了すると（Ｓ５０４のＹｅｓ）、準備時間登録部１０２ＢはＯＳ１０１から、ＯＳ１０１起動後の経過時間を取得し、これを録画準備時間ＤＢ１２５Ｂに格納／保存する（Ｓ５０５）。
【００４２】
更に、録画部１０２ＡはＲＴＣ１２１Ａを参照して、録画開始時刻に到達したかの監視を行い（Ｓ５０６）、録画開始時刻に到達すれば（Ｓ５０６のＹｅｓ）、録画を開始する（Ｓ５０７）。
【００４３】
以上説明したように、本実施例によれば、録画準備に要した時間を録画準備時間として録画準備時間ＤＢ１２５Ｂに登録しており、ここから次回録画時に準備に要する時間を予測して起動時間を設定するようにしている。つまり、録画開始時刻と起動時刻との差分を可変値として設定することができるので、環境の変化や様々な要因により録画準備に要する時間が長くなってきた場合にも、録画準備に要する予測時間を長くすることで対応することができる。これにより、予約録画の失敗を抑制することができる。
【００４４】
また、特にソフトウェアのインストール等の環境変化があった場合には、録画準備に要する時間が急に大きくなることがあるが、本実施例では環境変化に応じて起動時間を早めるようにしているので、環境変化時の予約録画の失敗も抑制することができる。
【図面の簡単な説明】
【００４５】
【図１】本発明の実施例１に係る情報処理装置のシステム構成の例を示すブロック図。
【図２】本発明の実施例１に係る情報処理装置によって実行されるＴＶアプリケーションプログラム、スケジューリングサービスプログラム其々の機能構成の例を示すブロック図。
【図３】本発明の実施例１に係る情報処理装置が実行するＴＶアプリケーションプログラムの録画予約に要する時間の予測方法の例を示す図。
【図４】本発明の実施例１に係る情報処理装置が実行するＴＶアプリケーションの録画予約設定後、電源オフまでの処理手順の例を示すフローチャート。
【図５】本発明の実施例１に係る情報処理装置が電源オフの状態から予約録画を行うまでの処理手順の例を示すフローチャート。
【符号の説明】
【００４６】
１０・・・ＰＣ
１０１・・・ＯＳ
１０２・・・ＴＶアプリケーションプログラム
１０２Ａ・・・録画部
１０２Ｂ・・・準備時間登録部
１０２Ｃ・・・準備時間予測部
１０２Ｄ・・・起動時刻設定部
１０３・・・スケジューリングサービスプログラム
１０３Ａ・・・ＴＶアプリケーション起動要求部
１１１・・・ＣＰＵ
１１３・・・ノースブリッジ
１１５・・・メインメモリ
１１７・・・グラフィックスコントローラ
１１７Ａ・・・ＶＲＡＭ
１１９・・・ＬＣＤ
１２１・・・サウスブリッジ
１２１Ａ・・・ＲＴＣ
１２３・・・ＢＩＯＳ−ＲＯＭ
１２５・・・ＨＤＤ
１２５Ａ・・・録画予約情報ＤＢ
１２５Ｂ・・・録画準備時間ＤＢ
１２７・・・ＯＤＤ
１２９・・・ＴＶチューナデバイス
１３１・・・ネットワークコントローラ
１３３・・・エンベデッドコントローラ／キーボードコントローラＩＣ
１３５・・・キーボード
１３７・・・タッチパッド
１３９・・・電源ボタン
１４１・・・バッテリ
１４３・・・ＡＣアダプタ
【図１】
2009004958.tif 000003
【図２】
2009004958.tif 000004
【図３】
2009004958.tif 000005
【図４】
2009004958.tif 000006
【図５】
2009004958.tif 000007